(57)【要約】  【課題】  スロットイン方式の光ディスク装置において、温度変化による構成部材の収縮差によって、部材同士が接触し搬送ローラの回転が制限されるのを抑制し、温度変化が生じても円滑に光ディスクを搬送することができるとともに、駆動モータ及び駆動力伝達機構に負担をていげんする。  【解決手段】  メインシャーシ１には光ディスク搬送機構３が取り付けられる。メインシャーシ１の側周壁１０には、搬送ローラ３２に備えられる後述のローラ歯車３２３と接触し、搬送ローラ３２が軸方向に移動するのを防ぐローラ付勢部１０１が備えられている。ローラ付勢部１０１はメインシャーシ１の側周壁１０と一体に形成されており、Ｌ字状に屈曲する形状を有している。【選択図】      図３
2007018662.tif 000002
【特許請求の範囲】
【請求項１】
光ディスクにレーザ光を照射することで、データの記録、読出を行う光ディスク装置で
あって、
メインシャーシと、
前記メインシャーシに昇降可能に支持されるトラバースユニットと、
前記メインシャーシに配置される光ディスク搬送機構と、
前記トラバースユニットに摺動可能に取り付けられ、前記光ディスクにレーザ光を照射
する光ヘッドと、
駆動モータと該駆動モータの駆動力を伝達するための複数の歯車を備え、前記トラバー
スユニット、前記光ディスク駆動機構及び前記光ヘッドに駆動力を伝達する駆動力伝達機
構と、
前記光ディスクの挿入及び挿入された光ディスクの大きさを検知する光ディスク検出機
構とを有し、
前記光ディスク搬送機構は、ローラシャーシと、前記ローラシャーシに回動可能に取り
付けられる搬送ローラと、前記駆動力伝達機構にて伝達される駆動力を前記搬送ローラに
伝達する中間歯車と、前記メインシャーシに摺動可能に取り付けられ、前記トラバースユ
ニットと係合し該トラバースユニットを昇降させるカムスライダとを有しており、
前記搬送ローラは前記ローラシャーシに回動可能に取り付けられる回転軸と、前記回転
軸の回りに取り付けられ前記光ディスクと接触することで該光ディスクを、前記回転軸の
端部に取り付けられるローラ歯車とを備えており、
前記中間歯車は前記ローラシャーシに回動可能に取り付けられ、前記駆動力伝達機構に
備えられる駆動ギヤと歯合する第１中間歯車と、前記メインシャーシの側周壁に回動可能
に軸支され、前記ローラ歯車と歯合する第２中間歯車とを有しており、前記第１中間歯車
と連結する第１かさ歯車と前記第２中間歯車と連結する第２かさ歯車が歯合することで駆
動力が伝達されるものであり、
前記メインシャーシの側周壁の前記ローラ歯車と近接する部分と一体に形成され、弾性
変形するとともに前記ローラ歯車を軸方向に付勢するローラ付勢部を備えており、前記ロ
ーラ付勢部は前記側周壁の自由端部と連結する屈曲形状で形成されていることを特徴とす
る光ディスク装置。
【請求項２】
光ディスクにレーザ光を照射することで、データの記録、読出を行う光ディスク装置で
あって、
メインシャーシと、
前記メインシャーシに昇降可能に支持されるトラバースユニットと、
前記メインシャーシに配置される光ディスク搬送機構と、
前記トラバースユニットに摺動可能に取り付けられ、前記光ディスクにレーザ光を照射
する光ヘッドと、
駆動モータと該駆動モータの駆動力を伝達するための複数の歯車を備え、前記トラバー
スユニット、前記光ディスク駆動機構及び前記光ヘッドに駆動力を伝達する駆動力伝達機
構と、
前記光ディスクの挿入及び挿入された光ディスクの大きさを検知する光ディスク検出機
構とを有し、
前記光ディスク搬送機構は、ローラシャーシと、前記ローラシャーシに回動可能に取り
付けられる搬送ローラと、前記駆動力伝達機構にて伝達される駆動力を前記搬送ローラに
伝達する中間歯車と、前記メインシャーシに摺動可能に取り付けられ、前記トラバースユ
ニットと係合し該トラバースユニットを昇降させるカムスライダとを有しており、
前記搬送ローラは前記ローラシャーシに回動可能に取り付けられる回転軸と、前記回転
軸の回りに取り付けられ前記光ディスクと接触することで該光ディスクを、前記回転軸の
端部に取り付けられるローラ歯車とを備えており、
前記中間歯車は前記ローラシャーシに回動可能に取り付けられ、前記駆動力伝達機構に
備えられる駆動ギヤと歯合する第１中間歯車と、前記メインシャーシの側周壁に回動可能
に軸支され、前記ローラ歯車と歯合する第２中間歯車とを有しており、前記第１中間歯車
と連結する第１かさ歯車と前記第２中間歯車と連結する第２かさ歯車が歯合することで駆
動力が伝達されるものであり、
前記メインシャーシの前記ローラ歯車と近接する部分に、弾性変形するとともに少なく
とも温度低下による収縮差が発生したときに前記ローラ歯車を軸方向に付勢するローラ付
勢部を備えていることを特徴とする光ディスク装置。
【請求項３】
前記ローラ付勢部は前記ローラ歯車と常時接触していることを特徴とする請求項２に記
載の光ディスク装置。
【請求項４】
常温時において、前記ローラ付勢部と前記ローラ歯車の間には微小な間隙が形成されて
いることを特徴とする請求項２に記載の光ディスク装置。
【請求項５】
前記ローラ付勢部は前記メインシャーシと一体に形成されることを特徴とする請求項２
、請求項３又は請求項４のいずれかに記載の光ディスク装置。
【請求項６】
前記ローラ付勢部は前記メインシャーシと別体で形成されており、着脱可能であること
を特徴とする請求項２、請求項３又は請求項４のいずれかに記載の光ディスク装置。
【発明の詳細な説明】
【技術分野】
【０００１】
本発明は、光ディスクにレーザ光を照射し情報を記録したり、読み出したりする光ディ
スク装置に関するものであり、特にトレイを用いずに前記光ディスクを挿入するスロット
イン型の光ディスク装置に関するものである。
【背景技術】
【０００２】
従来、光ディスク装置の一種類として、該光ディスク装置の前面に光ディスクを挿入す
るための開口が設けられており、この開口を通じて前記光ディスクを挿入したり、排出し
たりできる、いわゆる、スロットインタイプの光ディスク装置が知られている。
【０００３】
スロットインタイプの光ディスク装置は、上述のように、筐体の前面パネルに開口が設
けられており、開口に光ディスクを挿入する。光ディスクは開口より所定量挿入されると
、筐体内部に配置される光ディスク搬送機構にて引き込まれ、筐体内に配置されている光
ディスク記録再生ユニット内に搬入される。搬入された光ディスクは光ディスク記録再生
ユニットに備えられるトラバースユニットに取り付けられている光ディスク駆動機構に中
央部が押し上げられて光ディスクを記録／再生位置に移動させ、挟持（チャッキング）さ
れる。その後、前記トラバースユニットに備えられている光ヘッドよりレーザ光を照射す
ることで、光ディスクにデータを記録したり、光ディスクよりデータを再生したりする。
【０００４】
前記光ディスク記録再生ユニットは、前記トラバースユニット、前期光ヘッド及び前記
光ディスク搬送機構に駆動力を伝達するための駆動力伝達機構を備えている。前記光ディ
スク搬送機構は光ディスクを搬入／搬出する。図６に従来の光ディスク装置に用いられる
光ディスク搬送機構の正面側から見た概略配置図を示す。図６に示す光ディスク搬送機構
Ｂは、メインシャーシ９１に着脱可能に取り付けられるものである。
【０００５】
光ディスク搬送機構Ｂは、メインシャーシ）１に着脱可能に取り付けられるローラシャ
ーシ９２と、ローラシャーシ９２に回動可能に支持される搬送ローラ９３と、搬送ローラ
９３に駆動力を伝達するための中間歯車９４と、トラバースシャーシを昇降するカムスラ
イダ９５とを備えている。搬送ローラ９３は光ディスクと接触し摩擦力で光ディスクを搬
送するローラ９３１と、ローラ９３１を貫通する回転軸９３２と、回転軸９３２にの端部
に取り付けられ回転軸９３２を回転させるための歯車９３３とを有している。歯車９３３
は回転軸９３２の端部に固定されており、歯車９３３が回転することで回転軸９３２も遅
滞なく回転する。
【０００６】
図６に示すように中間歯車９４は第１中間歯車９４１と第２中間歯車９４２とを備えて
おり、第１中間歯車９４１はローラシャーシ９２のメインシャーシ９１と対抗する面に、
第２中間歯車９４２はメインシャーシ９１の側周壁の内周面にそれぞれ、回動可能に取り
付けられている。第１中間歯車９４１は駆動力伝達機構に含まれる駆動ギヤ９６と歯合す
るとともに、同一中心軸上に配置される第１かさ歯車９４３が連結されている。また、第
２中間歯車９４２も第１中間歯車９４１と同様に、同一中心軸上に配置される第２かさ歯
車９４４が連結されている。
【０００７】
第１かさ歯車９４３と第２かさ歯車９４４は歯合しており第１中間歯車９４１から第２
中間歯車９４２に駆動力が伝達される。第２中間歯車９４２は搬送ローラ９３の歯車９３
３と歯合しており、歯車９３３を回転させることで搬送ローラ９３の回転軸９２２及びロ
ーラ９２１を回転させて、光ディスクを搬送する（例えば、特開２００３−１２３３５８
号公報、特開平９−１０２１５８号公報等参照）。
【０００８】
図６に示すようにメインシャーシ９１の側周壁の内側面より突出するリブ９１１が搬送
ローラ９３の端部に固定されている歯車９３３と近接して配置されている。リブ９１１が
形成されていることで、搬送ローラ９３の軸方向の移動を制限し、搬送ローラ９３が軸方
向に移動するときにメインシャーシ９１と接触によるラトルノイズ（カタカタ音）の発生
を抑制している。
【特許文献１】特開２００３−１２３３５８号公報
【特許文献２】特開平９−１０２１５８号公報
【発明の開示】
【発明が解決しようとする課題】
【０００９】
しかしながら、搬送ローラ９３の回転軸９３２は金属（例えば、ステンレス）で形成さ
れ、メインシャーシ９１は樹脂の一体成形で形成されており、温度変化による膨張、収縮
の差が現れる。すなわち、光ディスク装置の周囲温度が低下すると、金属で形成されてい
る回転軸９３２の収縮は小さいが、メインシャーシ９１の収縮は大きくその収縮差によっ
て、搬送ローラ９３の歯車９３３がメインシャーシ９１のリブ９１１に押され、搬送ロー
ラ９３の回転が制限される。
【００１０】
また、搬送ローラ９３がリブ９１１に押されて回転が円滑でなくなると、搬送ローラ９
３を回転させるために大きな力が必要になり、それだけ駆動力伝達機構や駆動モータに大
きな負担がかかり、消費電力が多くなる。
【００１１】
さらに、リブ９１１と歯車９３３とが接触しているので摩擦によりリブ９１１及び歯車
９３３が磨耗し、リブ９１１と歯車９３３との間の隙間が大きくなり、搬送ローラ９３が
軸方向に移動し、ラトルノイズの原因になることがある。
【００１２】
そこで本発明は、光ディスクを搬送する搬送ローラが軸方向に移動し、メインシャーシ
と接触することにより発生するノイズの発生を抑制することができる光ディスク装置を提
供することを目的とする。
【００１３】
また本発明は、スロットイン方式の光ディスク装置において、温度変化による構成部材
の収縮差によって、部材同士が接触し搬送ローラの回転が制限されるのを抑制し、温度変
化が生じても円滑に光ディスクを搬送することができるとともに、駆動モータ及び駆動力
伝達機構に負担をかけないことを目的とする。
【課題を解決するための手段】
【００１４】
上記目的を達成するために本発明は、光ディスクにレーザ光を照射することで、データ
の記録、読出を行う光ディスク装置であって、メインシャーシと、前記メインシャーシに
昇降可能に支持されるトラバースユニットと、前記メインシャーシに配置される光ディス
ク搬送機構と、前記トラバースユニットに摺動可能に取り付けられ、前記光ディスクにレ
ーザ光を照射する光ヘッドと、駆動モータと該駆動モータの駆動力を伝達するための複数
の歯車を備え、前記トラバースユニット、前記光ディスク駆動機構及び前記光ヘッドに駆
動力を伝達する駆動力伝達機構と、前記光ディスクの挿入及び挿入された光ディスクの大
きさを検知する光ディスク検出機構とを有し、前記光ディスク搬送機構は、ローラシャー
シと、前記ローラシャーシに回動可能に取り付けられる搬送ローラと、前記駆動力伝達機
構にて伝達される駆動力を前記搬送ローラに伝達する中間歯車と、前記メインシャーシに
摺動可能に取り付けられ、前記トラバースユニットと係合し該トラバースユニットを昇降
させるカムスライダとを有しており、前記搬送ローラは前記ローラシャーシに回動可能に
取り付けられる回転軸と、前記回転軸の回りに取り付けられ前記光ディスクと接触するこ
とで該光ディスクを、前記回転軸の端部に取り付けられるローラ歯車とを備えており、前
記中間歯車は前記ローラシャーシに回動可能に取り付けられ、前記駆動力伝達機構に備え
られる駆動ギヤと歯合する第１中間歯車と、前記メインシャーシの側周壁に回動可能に軸
支され、前記ローラ歯車と歯合する第２中間歯車とを有しており、前記第１中間歯車と連
結する第１かさ歯車と前記第２中間歯車と連結する第２かさ歯車が歯合することで駆動力
が伝達されるものであり、前記メインシャーシの側周壁の前記ローラ歯車と近接する部分
と一体に形成され、弾性変形するとともに前記ローラ歯車を軸方向に付勢するローラ付勢
部を備えており、前記ローラ付勢部は前記側周壁の自由端部と連結する屈曲形状で形成さ
れていることを特徴とする。
【００１５】
この構成によると、前記ローラ付勢部が弾性変形するとともに、一定の接触圧でローラ
歯車を押えるので、前記搬送ローラが軸方向に押さえつけることができ、該搬送ローラが
軸方向に移動することで発生するラトルノイズ（カタカタ音）を低減することができる。
【００１６】
また、前記ローラ付勢部が弾性変形することができるので、温度が低下することで、樹
脂にて形成される前記メインシャーシと金属にて形成される回転軸の収縮差によって、前
記ローラ付勢部が前記ローラ歯車に強く押し付けられるのを抑制することができ、前記搬
送ローラの回転に大きな負荷がかかるのを抑制することができる。
【００１７】
これにより、前記搬送ローラと係合している（歯合している）駆動力伝達機構及び駆動
モータにかかる負荷を低減することができ、該駆動力伝達機構及び駆動モータの寿命を延
ばすことができる。また、前記駆動力伝達機構と接続している光ヘッドを円滑に摺動させ
ることができ、それだけ、精度よく、光ディスクからデータを読み出したり、光ディスク
にデータを記録したりすることができる。
【００１８】
上記目的を達成するために本発明は、光ディスクにレーザ光を照射することで、データ
の記録、読出を行う光ディスク装置であって、メインシャーシと、前記メインシャーシに
昇降可能に支持されるトラバースユニットと、前記メインシャーシに配置される光ディス
ク搬送機構と、前記トラバースユニットに摺動可能に取り付けられ、前記光ディスクにレ
ーザ光を照射する光ヘッドと、駆動モータと該駆動モータの駆動力を伝達するための複数
の歯車を備え、前記トラバースユニット、前記光ディスク駆動機構及び前記光ヘッドに駆
動力を伝達する駆動力伝達機構と、前記光ディスクの挿入及び挿入された光ディスクの大
きさを検知する光ディスク検出機構とを有し、前記光ディスク搬送機構は、ローラシャー
シと、前記ローラシャーシに回動可能に取り付けられる搬送ローラと、前記駆動力伝達機
構にて伝達される駆動力を前記搬送ローラに伝達する中間歯車と、前記メインシャーシに
摺動可能に取り付けられ、前記トラバースユニットと係合し該トラバースユニットを昇降
させるカムスライダとを有しており、前記搬送ローラは前記ローラシャーシに回動可能に
取り付けられる回転軸と、前記回転軸の回りに取り付けられ前記光ディスクと接触するこ
とで該光ディスクを、前記回転軸の端部に取り付けられるローラ歯車とを備えており、前
記中間歯車は前記ローラシャーシに回動可能に取り付けられ、前記駆動力伝達機構に備え
られる駆動ギヤと歯合する第１中間歯車と、前記メインシャーシの側周壁に回動可能に軸
支され、前記ローラ歯車と歯合する第２中間歯車とを有しており、前記第１中間歯車と連
結する第１かさ歯車と前記第２中間歯車と連結する第２かさ歯車が歯合することで駆動力
が伝達されるものであり、前記メインシャーシの前記ローラ歯車と近接する部分に、弾性
変形するとともに少なくとも温度低下による収縮差が発生したときに前記ローラ歯車を軸
方向に付勢するローラ付勢部を備えていることを特徴とする。
【００１９】
この構成によると、前記ローラ付勢部が弾性変形するとともに、一定の接触圧でローラ
歯車を押えるので、前記搬送ローラが軸方向に押さえつけることができ、該搬送ローラが
軸方向に移動することで発生するラトルノイズ（カタカタ音）を低減することができる。
【００２０】
また、前記ローラ付勢部が弾性変形することができるので、温度が低下することで、樹
脂にて形成される前記メインシャーシと金属にて形成される回転軸の収縮差によって、前
記ローラ付勢部が前記ローラ歯車に強く押し付けられるのを抑制することができ、前記搬
送ローラの回転に大きな負荷がかかるのを抑制することができる。
【００２１】
これにより、前記搬送ローラと係合している（歯合している）駆動力伝達機構及び駆動
モータにかかる負荷を低減することができ、該駆動力伝達機構及び駆動モータの寿命を延
ばすことができる。また、前記駆動力伝達機構と接続している光ヘッドを円滑に摺動させ
ることができ、それだけ、精度よく、光ディスクからデータを読み出したり、光ディスク
にデータを記録したりすることができる。
【００２２】
上記構成において、前記ローラ付勢部は前記ローラ歯車と常時接触しているものであっ
てもよく、常温時において、前記ローラ付勢部と前記ローラ歯車の間には微小な間隙が形
成されているものであってもよい。
【００２３】
また上記構成において、前記ローラ付勢部は前記メインシャーシと一体に形成されるも
のであってもよい。一体に形成されることで製造工程を減らすことができ、製造時間、手
間、すなわち、製造コストを低減することができる。また、前記ローラ付勢部を別体で形
成し、着脱可能としてもよい。着脱可能とした場合、前記ローラ付勢部が塑性変形等によ
り初期の弾性力を発揮できなくなった場合でも、取り替えることが容易である。
【発明の効果】
【００２４】
本発明によると、光ディスクを搬送する搬送ローラが軸方向に移動し、メインシャーシ
と接触することにより発生するノイズの発生を抑制することができる光ディスク装置を提
供することができる。
【００２５】
また本発明によると、スロットイン方式の光ディスク装置において、温度低下による構
成部材の収縮差によって、ローラ付勢部が搬送ローラに強く接触することで発生する摩擦
力によって、搬送ローラの回転に負荷がかかるのを抑制し、温度低下が生じても円滑に光
ディスクを搬送することができるとともに、駆動モータ及び駆動力伝達機構にかかる負担
を低減することができる。
【００２６】
さらに本発明によると、スロットイン方式の光ディスク装置において、温度低下による
構成部材の収縮差によって、ローラ付勢部が搬送ローラに強く接触することで発生する摩
擦力によって、ローラ付勢部及び（又は）搬送ローラのローラ歯車の磨耗を抑制すること
ができる。
【００２７】
さらに本発明によると、スロットイン方式の光ディスク装置において、駆動力伝達機構
を円滑に動作させることにより、それにより、光ヘッドを円滑に摺動させることができ、
それだけ、円滑且つ精度よく光ディスクからデータを読み出す又は光ディスクにデータを
記録することができる。
【発明を実施するための最良の形態】
【００２８】
以下に本発明の実施形態を図面を参照して説明する。図１にスロットインタイプの光デ
ィスク装置の斜視図を示す。図１に示す光ディスク装置は、筐体Ｂｄと、筐体Ｂｄの前面
に取り付け固定される前面パネルＦｐと、筐体Ｂｄ内部に取り付けられる光ディスク記録
再生ユニットＡとを有している。前面パネルＦｐには開口Ｏｐが設けられており、開口Ｏ
ｐに光ディスクＤｓを挿入する。
【００２９】
図２に本発明にかかるスロットインタイプの光ディスク装置に備えられる光ディスク記
録再生ユニットの概略配置図を、図３に図２に示す光ディスク記録再生ユニットの正面側
から見た概略配置図を示す。図２に示す光ディスク記録再生ユニットＡは、メインシャー
シ１、トラバースユニット２、光ディスク搬送機構３、光ディスク検出機構４、光ヘッド
５、駆動力伝達機構６、光ディスク駆動機構７を有している。
【００３０】
なお、以下で方向を示すとき、フロントパネルＦｐが設けられている方向をフロント側
（図中Ｆ）、これに対向する方向をリヤ側（図中Ｒ）、フロント側とリヤ側とをつなぐ線
に交差し光ディスクのディスク面に平行な方向をサイド側（図中Ｓ）と表現（図示）する
。
【００３１】
メインシャーシ１は光ディスク搬送機構３と、駆動力伝達機構４に含まれる駆動ギヤ６
４と、光ディスク検出機構７とを備えている。光ディスク搬送機構３は、メインシャーシ
１に摺動可能に取り付けられるカムスライダ３１と、メインシャーシ１に着脱可能に配置
され、光ディスクを挿入／排出するための搬送ローラ３２と、駆動ギヤ６４と歯合する中
間歯車３３とを備えている。
【００３２】
また、トラバースユニット２はトラバースシャーシ２１、光ヘッド５、駆動力伝達機構
６の一部、レバートリガー２２、接触式スイッチ２３、光ディスク駆動機構４とを具備し
ている。
【００３３】
図３に示すようにメインシャーシ１には光ディスク搬送機構３が取り付けられる。メイ
ンシャーシ１の側周壁１０には、搬送ローラ３２に備えられる後述のローラ歯車３２３と
接触し、搬送ローラ３２が軸方向に移動するのを防ぐローラ付勢部１０１が備えられてい
る。ローラ付勢部１０１はメインシャーシ１の側周壁１０と一体に形成されており、Ｌ字
状に屈曲する形状を有している。
【００３４】
図３に示すように、光ディスク搬送機構３はカムスライダ３１と、搬送ローラ３２と、
搬送ローラ３２を回動可能に支持するローラシャーシ３０とを有している。カムスライダ
３１はサイド方向に摺動するものであり、トラバースユニット２のトラバースシャーシ２
１のフロント側の側面に備えられる後述のスライダボス２１１と係合するカム孔３１１と
、レバートリガー２２に備えられる後述のトリガーボス２２１と係合する係合孔３１２と
、プッシュロッド４３に備えられる後述のプッシュボス４３１と係合するプッシュ溝３１
３と、駆動ギヤ６４と歯合するスライダラック３１４とを備えている。
【００３５】
カム孔３１１はサイド方向に延びて形成されており、上側カム孔３１１１、下側カム孔
３１１２及び上側カム孔３１１１と下側カム孔３１１２とを連結する斜行カム孔３１１３
とを備えている。カムスライダ３１がサイド方向に摺動することでトラバースシャーシ２
１のスライダボス２１１はカム孔３１１に沿って摺動する。スライダボス２１１が下側カ
ム孔３１１１に位置するときはトラバースシャーシ２１のフロント側が持ち上げられたク
ランプ位置に配置され、逆に上側カム孔３１１２に位置するときにはトラバースシャーシ
２１のフロント側が下げられた退避位置に配置される。
【００３６】
スライダラック３１４はカムスライダ３１の端部に形成されたラックであり、駆動ギヤ
６４と歯合するものであるが、カムスライダ３１がも最も移動したとき、スライダラック
３１４は駆動ギヤ６４とは歯合しないように形成されている。
【００３７】
搬送ローラ３２はローラシャーシ３０にか移動可能に配置される回転軸３２１と、回転
軸３２１の回りを覆うように配置され、光ディスクと接触して回転することで光ディスク
を送るためのローラ３２２と、回転軸３２１の端部に固定されるローラ歯車３２３とを有
している。中間歯車３３はローラシャーシ３０に回動可能に取り付けられ、駆動ギヤ６４
と係合する第１中間歯車３３１と、メインシャーシ１の側周壁１０の内側に回動可能に軸
支される第２中間歯車３３２とを有している。第２中間歯車３３２は搬送ローラ３２のロ
ーラ歯車３２３と歯合している。
【００３８】
第１中間歯車３３１は同一中心軸上に配置される第１かさ歯車３３３を備えている。第
２中間歯車３３２にも同様に同一中心軸に配置される第２かさ歯車３３４が備えられてお
り、第１かさ歯車３３３と第２かさ歯車３３４が歯合している。つまり、駆動ギヤ６４の
回転を、メインシャーシ１の側周壁１０に取り付けられた歯車の回転に変換することがで
きる。
【００３９】
図３に示すように、搬送ローラ３２の端部に取り付けられたローラ歯車３２３はメイン
シャーシ１の側周壁１０のローラ付勢部１０１と接触している。これにより、搬送ローラ
３２が軸方向に移動し、側周壁１０または反対側の側周壁に接触して不快な音が発生する
のを防止することができる。
【００４０】
また、各部材が温度低下によって収縮すると、メインシャーシ１は樹脂製で、搬送ロー
ラ３２の回転軸３２１は金属製（ステンレス、アルミニウム合金等）であることより、メ
インシャーシ１の収縮量が回転軸３２１の収縮量よりも大きくなる。これにより、メイン
シャーシ１の側周壁１０のローラ付勢部１０１が搬送ローラ３２のローラ歯車３２３を付
勢する。このときローラ付勢部１０１が弾性変形するので、ローラ付勢部１０１が破損す
るのを防ぐことができるとともに、ローラ付勢部１０１とローラ歯車３２３との接触圧力
を低減することができる。
【００４１】
これにより、搬送ローラ３２の回動が妨げられるのを抑制し、駆動力伝達機構６及び駆
動モータ６０にかかる負荷を低減するとともに、駆動力伝達機構６により駆動される後述
の光ヘッド５の動作が不安定になるのを抑制することができる。また、ローラ付勢部１０
１とローラ歯車３２３との接触部の摩擦による磨耗を低減することができる。
【００４２】
また、ローラ付勢部１０１は、常温時、搬送ローラ３２のローラ歯車３２３とメインシ
ャーシ１との間にわずかに間隙が空くように形成されていてもよい。隙間が空いていても
狭い隙間であれば、接触してもノイズが発生しにくい。また、収縮差によってローラ付勢
部１０１ローラ歯車３２３との接触圧力を低減することができ、それだけ、搬送ローラ３
２の回転負荷を低減することができる。ここで、間隙としてはそれには限定されないが、
例えば０．３ｍｍ程度とするものを示すことができる。
【００４３】
光ディスク検出機構４は、光ディスクの挿入部の近傍に配置される図示を省略した光セ
ンサと、光ディスクにて押されるディスクアーム４２と、ディスクアーム４２の動作にあ
わせて摺動し、カムスライダ３１を動作させるプッシュロッド４３と、光ディスクが挿入
されるときに光ディスクの大きさに合わせて、ディスクアーム４２とプッシュロッド４３
とを係合させるディスクレバー４４とを備えている。ディスクアーム４２、プッシュロッ
ド４３及びディスクレバー４４とは互いに連動することで、直径１２センチメートルの光
ディスクと、直径８センチメートルの光ディスクが挿入されたときに、光ディスクの直径
にあわせて光ディスク記録再生ユニットを適切に動作させるためのものである。光センサ
は挿入口の近くに配置されるものである。光センサは光ディスクが挿入されたのを検知す
る挿入検知センサと、光ディスクが排出されたのを検知する排出検知センサとを有してい
る。
【００４４】
ディスクアーム４２はピン４２０にてメインシャーシ１に回動可能に取り付けられてい
る。ディスクアーム４２は光ディスクが挿入されたときに光ディスクのリヤ側が当接し、
挿入方向に往復移動するディスク押し部４２３と、ディスクレバー４４の後述する係合部
４４１と係合する第１ボス４２１及び第２ボス４２２と、ディスク押し部４２３をフロン
ト側に押すようにディスクアームを付勢する弾性部材４２４とを有している。第１ボス４
２１及び第２ボス４２２とディスク押し部４２３とはピン４２０を挟んで対向する位置に
配置されている。すなわち、第１ボス４２１及び第２ボス４２２とディスク押し部４２３
とは常にピンを挟んで反対方向に移動する。
【００４５】
ディスクレバー４４はディスクアーム４２の第１ボス４２１及び第２ボス４２２と係合
する係合部４４１と、光ディスクの外周に押されるディスク検知ボス４４２と、プッシュ
ロッド４３の後述するスイングガイド４３２と係合するレバーボス４４３と、メインシャ
ーシ１に取り付けられている摺動ピン４４０が貫通する摺動孔４４４とを備えている。ま
た、ディスクレバー４４はメインシャーシ１に取り付けられた弾性部材（ここではコイル
ばね４４５）にてプッシュロッド４３と重なる位置に移動するように付勢されている。デ
ィスクレバー４４は直径１２センチメートルの光ディスクが所定の位置にあるときにはサ
イド方向にスイングする。直径８センチメートルの光ディスクが挿入されたときにはスイ
ングしない。
【００４６】
プッシュロッド４３はフロント側−リヤ側に往復摺動可能に取り付けられており、フロ
ント側の端部に設けられカムスライダ３１に形成されるプッシュ溝３１３と係合するプッ
シュボス４３１と、ディスクレバー４４のレバーボス４４３が円弧状に摺動するスイング
ガイド４３２とを有している。プッシュロッド４３はプッシュボス４３１がプッシュ溝３
１３を押すことでカムスライダ３１を摺動させるものである。
【００４７】
トラバースシャーシ２１はサイド側の両側面のリヤ側に近い部分に、回転ボス２１０が
形成されている。サイド側の両側面に設けられた回転ボス２１０は、同一中心軸上に形成
されており、回動ボス２１０がメインシャーシ１と係合することで、トラバースシャーシ
２１はメインシャーシ１に対し、回動可能に取り付けられる。また、トラバースシャーシ
２１のフロント側の側面にはカムスライダ３１のカム孔３１１と係合するスライダボス２
１１が形成されている。さらに、光ヘッド５が摺動するときのガイドとなるシャフト２１
３及びガイドリブ２１４を備えている。
【００４８】
トラバースシャーシ２１は回転ボス２１０を軸として回動することで、光ディスクが挿
入されるときに邪魔にならないように光ディスクの記録面側に隠れた待機位置と、光ディ
スクを他の部材と干渉しないように挟着（クランプ）するクランプ位置とを往復動する。
待機位置とクランプ位置の切替のタイミングは後述するように、直径８センチメートルの
光ディスクと、直径１２センチメートルの光ディスクとでは異なる。
【００４９】
レバートリガー２２はカムスライダ３１と同様にサイド方向に摺動する。トリガーボス
２２１と、光ヘッド５の後述するサブラック５３２に形成されているラックボス５３３と
係合するトリガーガイド２２２が形成されている。サブラック５３２が摺動することで、
ラックボス５３３がトリガーガイド２２２を押してレバートリガー２２を摺動させる。ト
リガーガイド２２２はサイド方向に延びる部分を備えている。
【００５０】
光ヘッド５は光ディスクにレーザ光を照射し情報を記録する又は読み出すものである。
光ヘッド５はレーザ光を出射するレーザ光源、レーザ光を集光し光ディスクの記録面にレ
ーザスポットを形成する対物レンズ、光ディスクの記録面で反射されたレーザ光を受光す
る受光素子（いずれも不図示）等の光学部品が載置されるスライドベース５１を備えてい
る。トラバースシャーシ２１にシャフト２１３が備えられており、スライドベース５１は
シャフト２１３に往復動可能に取り付けられている。
【００５１】
スライドベース５１のシャフト３１２３との係合部と反対側には、トラバースシャーシ
２１に形成されているガイドリブ２１４に係合し、光ヘッド５の光ディスクに対するサイ
ド方向の傾きを調整するための傾き調整部材５２が取り付けられている。傾き調整部材５
２はガイドリブ２１４に係合するとともに、ガイドリブ２１４にそって摺動することがで
き、光ヘッド５を、その傾きを保ったまま摺動可能に支持する。
【００５２】
スライドベース５１には駆動力伝達機構６（後述のピニオンギヤ６１３）と歯合し、駆
動モータ６０よりの駆動力を伝達するラック５３が設けられている。このラック５３は下
部に光ヘッド５を移動させるため駆動力が伝達されるメインラック（図示省略）が配設さ
れ、メインラックの上部にバックラッシュを取り除くためのサブラック５３２が配設され
ている。図示を省略したばねを用いてサブラック５３２を付勢し、メインラックのギヤ歯
とサブラック５３２のギヤ歯で、ピニオンギヤ６１３のギヤ歯を挟んでバックラッシュが
発生しないようにしている。
【００５３】
つまり、光ヘッド５のラック５３は、メインラック及びサブラック５３２が重なり合っ
たダブルラックとなっている。ラック５３においてサブラック５３２のギヤ歯はメインラ
ックのギヤ歯よりも長く、リヤ側に延びるように配置される。すなわち、ピニオンギヤ６
１３とメインラック及びサブラック５３２の両方が歯合している状態、ピニオンギヤ６１
３とサブラック５３２のみが歯合している状態とになるように構成されている。
【００５４】
また、サブラック５３２にはラックボス５３３が形成されており、光ヘッド５が最もフ
ロント側にきたときに、レバートリガー２２に形成されているトリガーガイド２２２と係
合し、レバートリガー２２を動作させる。
【００５５】
なお、メインラックのフロント側の先端には、トラバーシャーシ２１に取り付けられた
接触式スイッチ２３を押し付ける（ＯＮにする）ための突起部（図示省略）が形成されて
いる。すなわち、光ヘッド５が光ディスクの最内周に移動すると、突起部が接触式スイッ
チ２３と接触して、接触式スイッチ２３がＯＮになる。
【００５６】
駆動力伝達機構６は駆動モータ６０と、第１歯車６１と、第２歯車６２と、伝達ギヤ６
３と、駆動ギヤ６４とを具備している。このうち駆動ギヤ６４はメインシャーシ１に取り
付けられており、残りの駆動モータ６０及び歯車群はトラバースシャーシ２１に取り付け
られている。
【００５７】
駆動モータ６０の駆動軸にはウォームギヤが備えられており、第１歯車６１と歯合して
いる。第１歯車６１は第１大型歯車６１１と、第１小型歯車６１２と、ピニオンギヤ６１
３とが同一回転軸に軸方向に並んで、回動可能に支持されている。第１大型歯車６１１は
駆動モータ６０のウォームギヤと歯合しており、駆動モータ６０の駆動軸に発生する駆動
力は第１大型歯車６１１に伝達される。ピニオンギヤ６１３は光ヘッド５のラック５３と
歯合しており、光ヘッド５を駆動する。第１小型歯車６１２は第２歯車６２と歯合してい
る。第２歯車６２は伝達ギヤ６３と歯合している。伝達ギヤ６３は駆動ギヤ６４と歯合し
ている。以上のように各歯車を配置することで、駆動モータ６０の駆動軸に発生する駆動
力を駆動ギヤ６４、光ヘッド５のラック５３に伝達することができる。
【００５８】
光ディスク駆動機構７は、光ディスクを回転させるためのスピンドルモータ（不図示）
と、スピンドルモータの出力軸に取り付けられ、光ディスクを支持するターンテーブル７
１とを有している。ターンテーブル７１はトラバースシャーシ２１の移動とともに移動し
、光ディスクの中央部に設けられる貫通部を貫通するとともに透明部を押し、図示を省略
したクランプと光ディスクを挟着し、光ディスクを安定して回転させる。
【００５９】
次に各部の動作について説明する。光ディスクが開口Ｏｐより挿入されると、光センサ
によって光ディスクが挿入されたことが検知される。光センサにて光ディスクの挿入を検
知すると、駆動モータ６０が駆動する。駆動モータ６０の駆動軸に取り付けられたウォー
ムが第１大型歯車６１１を回転させ、第１小型歯車６１２、第２歯車６２を介して伝達ギ
ヤ６３が回転する。
【００６０】
光ディスクが挿入されるときは伝達ギヤ６３と駆動ギヤ６４は歯合しているので、駆動
ギヤ６４は回転する。駆動ギヤ６４の回転が第１中間歯車３３１及び第２中間歯車３３２
を介して伝達しローラ歯車３２３を回動させ、搬送ローラ３２を回転させる。搬送ローラ
３２のローラ３２２が光ディスクと接触することで、光ディスクを光ディスク記録再生ユ
ニットＡの内部に引き込む。
＜直径８センチメートルの光ディスク（図４参照）＞
挿入された光ディスクが直径８センチメートルのディスクの場合、光ディスクＤｓ８が
挿入されるときに挿入検知センサが光ディスクＤｓ８の挿入を検知し駆動モータ６０を駆
動し、搬送ローラ３２を回転させ、光ディスクＤｓ８が引き込まれる。光ディスクＤｓ８
は引き込まれるときに外周部がディスクレバー４４のディスク検知ボス４４２と当接せず
、そのまま、引き込まれる。
【００６１】
光ディスクＤｓ８が所定量引き込まれると、ディスクアーム４２のディスク押し部４２
３と当接し、そのままディスク押し部４２をリヤ側へと押す。このとき、ディスクアーム
４２がピン４２０にて摺動可能に支持されていると共に、第１ボス４２１とディスクレバ
ー４４の係合部４４１とが係合しているので、ディスクレバー４４はフロント側に押され
る。
【００６２】
ディスクレバー４４はレバーボス４４３でプッシュロッド４３のスイングガイド４３２
と係合しており、ディスクレバー４４がフロント側に移動すると、レバーボス４４３がス
イングガイド４３２を押してプッシュロッド４３がフロント側に移動する。プッシュロッ
ド４３のフロント側端部に備えられるプッシュボス３３１が、カムスライダ３１のプッシ
ュ溝３１３と係合しており、プッシュロッド４３のフロント側への移動によってカムスラ
イダ３１を駆動する。
【００６３】
カムスライダ３１はプッシュロッド４３の移動によってサイド方向に移動する。これに
よって、カムスライダ３１に備えられているスライダラック３１４が駆動ギヤ６４と歯合
し、駆動ギヤ６４の駆動力がカムスライダ３１に伝達される。このとき、プッシュロッド
４３のプッシュボス４３１はプッシュ溝３１３のサイド方向に延びる部分と係合しプッシ
ュロッド４３がリヤ側に移動しないようにロックする。
【００６４】
また、カムスライダ３１がサイド方向に移動するときに、トラバースシャーシ２１のス
ライダボス２１１がカム孔３１１の下側カム孔３１１１から斜行カム孔３１１３を経て上
側カム孔３１１２へと摺動し、トラバースシャーシ２１がクランプ位置にせりあがる。ま
た、カムスライダ３１の係合孔３１２と係合するトリガーボス２２１が押されてレバート
リガー２２も摺動する。レバートリガー２２が摺動することで、光ヘッド５のサブラック
５３２に形成されているラックボス５３３がトリガーガイド２２２から離れ、光ヘッド５
がリヤ方向に移動すると共に、第１歯車６１のピニオンギヤ６１３とラック５３とが歯合
する。
【００６５】
トラバースシャーシ２１がクランプ位置に移動すると光ディスク駆動機構７のターンテ
ーブル７１は光ディスクＤｓ８を押し、図示を省略したクランパと光ディスクＤｓ８を挟
着する。
【００６６】
光ヘッド５のラック５３とピニオンギヤ６１３とが歯合することで、駆動モータ６０の
駆動力が光ヘッド５に伝達され、光ヘッド５を光ディスクＤｓ８の径方向に摺動させる。
光ディスクＤｓ８の再生又は記録に必要な初期動作を行う。
【００６７】
光ディスクを排出するときはこれと逆の動作で、光ヘッド５を最もフロント側に移動さ
せ、接触式スイッチ２３と突起部が接触し光ディスクＤｓ８が光ディスクＤｓ８を排出す
るための退避位置に移動したことを検出する。このとき、ラック５３のメインラックはピ
ニオンギヤ６１３との歯合が外れるが、サブラック５３２はピニオンギヤ６１３と歯合し
ており、さらにフロント側に送られる。サブラック５３２に形成されているラックボス５
３３がレバートリガー２２のトリガーガイド２２２と係合し、レバートリガー２２を移動
させる。
【００６８】
レバートリガー２２のトリガーボス２２１がカムスライダ３１の係合孔３１２を押し、
カムスライダ３１が挿入のときと反対方向にわずかに移動する。カムスライダ３１の移動
とともに、カムスライダ３１のスライダラック３１４と駆動ギヤ６４が歯合する。
【００６９】
このとき光ディスクＤｓ８はターンテーブル７１に支持されてクランプ位置にあるので
、搬送ローラ３２のローラ３２２とは接触していない。カムスライダ３１のスライダラッ
ク３１４は駆動ギヤ６４と歯合しており、駆動ギヤ６４の駆動力がスライダラック３１４
に伝達され、カムスライダ３１は光ディスクＤｓ８を挿入したときと逆方向に移動する。
【００７０】
カムスライダ３１が移動すると、トラバースシャーシ２１のスライダボス２１１がカム
孔３１１に沿って移動し、トラバースシャーシ２１がクランプ位置から待機位置に戻る。
このとき、カムスライダ３１のプッシュ溝３１３とプッシュロッド４３のプッシュボス４
３１との係合がはずれ、プッシュロッド４３はリヤ側に戻る。また、カムスライダ３１の
移動とともにレバートリガー２２も摺動するので、光ヘッド５のサブラック５３２のラッ
クボス５３３がトリガーガイド２２２のサイド方向に延びる部分に保持されてリヤ側に移
動しないようにロックされる。
【００７１】
さらに、トラバースシャーシ２１が待機位置に移動すると、光ディスクＤｓ８が搬送ロ
ーラ３２のローラ３２２と接触し光ディスクＤｓ８が搬送ローラ３２にて排出される。す
ると、ディスクアーム４２に備えられたディスク押し部４２３が光ディスクＤｓ８の移動
に伴ってフロント側に移動する。
【００７２】
その後、さらに光ディスクＤｓ８が移動し、排出検知センサが排出を検知することで駆
動モータ６０を停止し排出を終了する。
＜直径１２センチメートルの光ディスク（図５参照）＞
挿入された光ディスクが直径１２センチメートルのディスクの場合、光ディスクＤｓ１
２が挿入されるときに挿入検知センサが光ディスクＤｓ１２の挿入を検知し駆動モータ６
０を駆動し、搬送ローラ３２を回転させ、光ディスクＤｓ１２が引き込まれる。
【００７３】
光ディスクＤｓ１２が挿入されるときに光ディスクＤｓ１２の外周部がディスクレバー
４４のディスク検知ボス４４２と接触する。ディスク検知ボス４４２が光ディスクＤｓ１
２の側周部に押され、ディスクレバー４４は摺動ピン４４０を中心に回動する。このとき
、レバーボス４４３はプッシュロッド４３のスイングガイド４３２に沿って摺動し、係合
部４４１とディスクアーム４２の第１ボス４２１との係合が外れる。
【００７４】
この状態で、光ディスクＤｓ１２が所定量引き込まれると、光ディスクＤｓ１２のリヤ
側周側部がディスクアーム４２のディスク押し部４２３と当接し、そのままディスク押し
部４２３をリヤ側へと押す。このとき、ディスクアーム４２の第１ボス４２１とディスク
レバー４４の係合部４４１との係合が外れているので、ディスクアーム４２はピン４２０
回りに回動するが、ディスクレバー４４はフロント側に摺動せず、プッシュロッド４３を
フロント側に押さない。
【００７５】
光ディスクＤｓ１２がさらに引き込まれると、ディスクアーム４２がピン４２０を中心
に回動する。このとき、ディスクレバー４４はコイルばね４４５にてもとの位置に戻るよ
うに付勢されており、光ディスクＤｓ１２が引き込まれるとともに、光ディスクＤｓ１２
の側周部をディスク検知ボス４４２が回り込むように摺動し、もとの位置に戻る。このと
き、ディスクアーム４２の第２ボス４２２とディスクレバー４４の係合部４４１が係合す
る。ディスクアーム４２の第２ボス４２２とディスクレバー４４の係合部４４１が係合す
ることで、ディスクアーム４２の回動によってディスクレバー４４はフロント側に押され
る。
【００７６】
ディスクレバー４４はレバーボス４４３でプッシュロッド４３のスイングガイド４３２
と係合しており、ディスクレバー４４がフロント側に移動すると、レバーボス４４３がス
イングガイド４３２を押してプッシュロッド４３がフロント側に移動する。プッシュロッ
ド４３のフロント側端部に備えられるプッシュボス４３１が、カムスライダ３１のプッシ
ュ溝３１３と係合しており、プッシュロッド４３のフロント側への移動によってカムスラ
イダ３１を駆動する。
【００７７】
カムスライダ３１はプッシュロッド４３の移動によってサイド方向に移動する。これに
よって、カムスライダ３１に備えられているスライダラック３１４が駆動ギヤ６４と歯合
し、駆動ギヤ６４の駆動力がカムスライダ３１に伝達される。このとき、プッシュロッド
４３のプッシュボス４３１はプッシュ溝３１３のサイド方向に延びる部分と係合しプッシ
ュロッド４３がリヤ側に移動しないようにロックする。
【００７８】
また、カムスライダ３１がサイド方向に移動するときに、トラバースシャーシ２１のス
ライダボス２１１がカム孔３１１と摺動し、トラバースシャーシ２１がクランプ位置に競
りあがる。また、カムスライダ３１の係合孔３１２と係合するトリガーボス２２１が押さ
れてレバートリガー２１も摺動する。レバートリガー２１が摺動することで、光ヘッド５
のサブラック５３２に形成されているラックボス５３３がトリガーガイド２２２から離れ
、光ヘッド５がリヤ方向に移動すると共に、第１歯車６１のピニオンギヤ６１３とラック
５３とが歯合する。
【００７９】
トラバースシャーシ２１がクランプ位置に移動すると光ディスク駆動機構７のターンテ
ーブル７１は光ディスクＤｓ１２を押し、図示を省略したクランパと光ディスクＤｓ１２
を挟着する。
【００８０】
光ヘッド５のラック５３とピニオンギヤ６１３とが歯合することで、駆動モータ６０の
駆動力が光ヘッド５に伝達され、光ヘッド５を光ディスクＤｓ１２の径方向に摺動させる
。光ディスクＤｓ１２の再生又は記録に必要な初期動作を行う。
【００８１】
光ディスクを排出するときはこれと逆の動作で、光ヘッド５を最もフロント側に移動さ
せ、接触式スイッチ２３と突起部が接触し光ヘッド５が光ディスクＤｓ１２を排出するた
めの退避位置に移動したことを検出する。このとき、ラック５３のメインラックはピニオ
ンギヤ６１３との歯合が外れるが、サブラック５３２はピニオンギヤ６１３と歯合してお
り、さらにフロント側に送られる。サブラック５３２に形成されているラックボス５３３
がレバートリガー２２のトリガーガイド２２２と係合し、レバートリガー２２を移動させ
る。
【００８２】
レバートリガー２２のトリガーボス２２１が係合孔３１２を押し、カムスライダ３１が
挿入のときと反対方向にわずかに移動する。カムスライダ３１の移動とともに、カムスラ
イダ３１のスライダラック３１４と駆動ギヤ６４が歯合する。
【００８３】
このとき光ディスクＤｓ１２はターンテーブル７１に支持されてクランプ位置にあるの
で、搬送ローラ３２のローラ３２２とは接触していない。カムスライダ３１のスライダラ
ック３１４は駆動ギヤ６４と歯合しており、駆動ギヤ６４の駆動力がスライダラック３１
４に伝達され、カムスライダ３１は光ディスクＤｓ１２を挿入したときと逆方向に移動す
る。
【００８４】
カムスライダ３１が移動すると、トラバースシャーシ２１のスライダボス２１１がカム
孔３１１に沿って移動し、トラバースシャーシ２１がクランプ位置から待機位置に戻る。
このとき、カムスライダ３１のプッシュ溝３１３とプッシュロッド４３のプッシュボス４
３１との係合がはずれ、プッシュロッド４３はリヤ側に戻る。また、カムスライダ３１の
移動とともにレバートリガー２２も摺動するので、光ヘッド５のサブラック５３２のラッ
クボス５３３がトリガーガイド２２２のサイド方向に延びる部分に保持されてリヤ側に移
動しないようにロックされる。
【００８５】
さらに、トラバースシャーシ２１が待機位置に移動したことで、光ディスクＤｓ１２が
搬送ローラ３２のローラ３２２と接触し光ディスクＤｓ１２が搬送ローラ３２にて排出さ
れる。このとき、ディスクアーム４２に備えられたディスク押し部４２３が光ディスクＤ
ｓ１２の移動に伴ってフロント側に移動し、ディスクアーム４２もピン４２０を中心に回
動する。
【００８６】
光ディスクＤｓ１２が排出されるときに、ディスクレバー４４のディスク検知ボス４４
２は光ディスクＤｓ１２の側周部に押されて外側にスイングする。これにより、ディスク
レバー４４の係合部４４１がディスクアーム４２の第２ボス４２２から離れる。光ディス
クＤｓ１２がさらに排出されると、ディスクレバー４４のディスク検知ボス４４２が光デ
ィスクＤｓ１２の周側部に沿って移動する。ディスクレバー４４は摺動ピン４４０回りに
回動しもとの位置に戻る。このとき、ディスクアーム４２の第１ボス４２１とディスクレ
バー４４の係合部４４１とが係合し、ディスクアーム４２の回動によってディスクアーム
４２はリヤ側に引っ張られる。ディスクレバー４４のレバーボス４４３とプッシュロッド
４３のスイングガイド４３２で係合しているプッシュロッド４３も連動して、リヤ側に引
っ張られる。
【００８７】
その後、さらに光ディスクＤｓ１２が移動し、排出検知センサが排出を検知することで
駆動モータ６０を停止し排出を終了する。
【００８８】
上記実施例では、ローラ付勢部は、断面Ｌ字状に屈曲しているものを例示しているが、
それに限定されるものではなく、例えば、断面円弧状や曲面上等の、温度が低下し、部材
間の収縮差が発生しても、一定以上の接触圧力が発生しないような形状のものを広く採用
することができる。
【００８９】
また、ローラ付勢部がメインシャーシと一体で形成されているものを例示しているが、
着脱可能に形成されているものであってもよい。ローラ付勢部が着脱可能に形成されてい
ることでローラ付勢部が経時変化等で、十分な弾性を備えなくなったときに容易に取り替
えることができる。
【産業上の利用可能性】
【００９０】
本発明は、ＤＶＤ、ＣＤ等の光ディスクを記録媒体とする光ディスク装置において適用
することができる。
【図面の簡単な説明】
【００９１】
【図１】スロットインタイプの光ディスク装置の斜視図である。
【図２】本発明にかかるスロットインタイプの光ディスク装置に備えられる光ディスク記録再生ユニットの概略配置図である。
【図３】図２に示す光ディスク記録再生ユニットの正面側から見た概略配置図である。
【図４】８センチメートルの光ディスクを挿入するときの光ディスク記録再生ユニットの概略配置図である。
【図５】１２センチメートルの光ディスクを挿入するときの光ディスク記録再生ユニットの概略配置図である。
【図６】従来の光ディスクに用いられる光ディスク記録再生ユニットの正面側から見た概略配置図である。
【符号の説明】
【００９２】
１  メインシャーシ
１０１  ローラ付勢部
２  トラバースユニット
２１  トラバースシャーシ
２２  レバートリガー
３  光ディスク搬送機構
３０  ローラシャーシ
３１  カムスライダ
３２  搬送ローラ
３３  中間歯車
４  光ディスク検出機構
４２  ディスクアーム
４３  プッシュロッド
４４  ディスクレバー
５  光ヘッド
５１  スライドベース
６  駆動力伝達機構
７  光ディスク駆動機構
【図１】
2007018662.tif 000003
【図２】
2007018662.tif 000004
【図３】
2007018662.tif 000005
【図４】
2007018662.tif 000006
【図５】
2007018662.tif 000007
【図６】
2007018662.tif 000008